(57)【特許請求の範囲】
【請求項１】
携帯端末機におけるタッチベースの運用方法であって、
少なくとも１つの項目を有する通信関連リストを第１の方向に表示するステップと、
第１タッチイベントに応答して前記少なくとも１つの項目のうちの特定の１つを選択するステップと、
前記選択された特定の１つの項目上で第２の方向に第２タッチイベントが発生するか否かを確認するステップと、
前記第２の方向に発生した前記第２タッチイベントに応答して前記選択された特定の１つの項目に既設定された特定機能を遂行するステップと、を有することを特徴とする携帯端末機の運用方法。
【請求項２】
前記第２タッチイベントは、前記選択された特定の１つの項目を少なくとも１つの方向に移動させるドラッグ又はスイープイベントを含み、
前記特定機能を遂行するステップは、前記ドラッグ又はスイープイベントの方向により、複数の異なる特定機能を遂行するステップを含むことを特徴とする請求項１に記載の携帯端末機の運用方法。
【請求項３】
前記第２タッチイベントに応答して前記選択された特定の１つの項目のための視覚的フィードバックを提供するステップを更に含み、
前記選択された特定の１つの項目の右端又は左端は、前記視覚的フィードバックによって示される前記第２タッチイベントにより移動され、
前記選択された特定の１つの項目の残りの部分は、前記視覚的フィードバックにより、縮小されたサイズで表示されることを特徴とする請求項２に記載の携帯端末機の運用方法。
【請求項４】
前記視覚的フィードバックを解除するステップを更に含み、
（１）境界地点を通過する前に前記ドラッグ又はスイープイベントが解除された場合、
（２）境界地点を通過した後に前記ドラッグ又はスイープイベントが解除された場合、
（３）境界地点を通過する前に前記ドラッグ又はスイープイベントが前記第２の方向から外れた場合、及び
（４）境界地点を通過した後に前記ドラッグ又はスイープイベントが前記第２の方向から外れた場合、のうちの少なくともいずれか１つの場合に前記視覚的フィードバックを解除することを特徴とする請求項３に記載の携帯端末機の運用方法。
【請求項５】
前記視覚的フィードバックを提供するステップは、
前記選択された特定の１つの項目を有するページのイメージをめくるステップと、
前記選択された特定の１つの項目を有する狭い粘着テープのイメージを剥がすステップと、
少なくとも前記選択された特定の１つの項目のイメージを前記右端又は左端から筒状の形状に巻くステップと、
前記選択された特定の１つの項目のイメージを回転させるステップと、
前記選択された特定の１つの項目のイメージを該選択された特定の１つの項目の前記右端又は左端から部分的且つ徐々に除去するステップと、のうちの少なくとも１つのステップを含むことを特徴とする請求項３に記載の携帯端末機の運用方法。
【請求項６】
前記選択された特定の１つの項目の前記残りの部分以外の部分で前記特定機能に関する情報を出力するステップを更に含み、
前記特定機能に関する情報は、テキスト、アイコン、イメージ、及び音声のうちの少なくとも１つの形態で出力されることを特徴とする請求項３に記載の携帯端末機の運用方法。
【請求項７】
前記特定機能を遂行するステップは、
前記選択された特定の１つの項目のイメージの中に設定された境界地点を前記第２タッチイベントが通過すると前記特定機能を遂行するステップと、
前記境界地点を前記第２タッチイベントが通過した後にタッチ解除イベントが発生すると前記特定機能を遂行するステップと、のうちのいずれか１つのステップを含み、
前記境界地点は、前記第１タッチイベントの地点により、その位置が変わることを特徴とする請求項２に記載の携帯端末機の運用方法。
【請求項８】
前記第２の方向は、前記第１の方向が垂直な場合に水平方向から所定角度内の範囲であるか、又は
前記第２の方向は、前記通信関連リストが複数の項目を有する場合に前記選択された特定の１つの項目から少なくとも１つの隣接する項目を通り抜けることを特徴とする請求項１に記載の携帯端末機の運用方法。
【請求項９】
前記選択された特定の１つの項目が、前記視覚的フィードバックにより選択される以前と区別され且つ他の項目から区別されるように、前記第１タッチイベントに応答して前記選択された特定の１つの項目のための視覚的フィードバックを提供するステップを更に含み、
前記視覚的フィードバックを提供するステップは、後に選択される前記選択された特定の１つの項目に関する第２の情報が選択される前に、前記選択された特定の１つの項目に関する第１の情報を変更するステップを含むことを特徴とする請求項１に記載の携帯端末機の運用方法。
【請求項１０】
前記選択された特定の１つの項目が、電話呼び出し、メッセージ作成、電子メール作成、及びメッセンジャー機能による短文作成のうちの少なくとも１つを含む機能を遂行することが不可能な場合、該選択された特定の１つの項目のためのグラフィック効果を提供するステップと、
前記選択された項目が、電話呼び出し、メッセージ作成、電子メール作成、及びメッセンジャー機能による短文作成のうちの少なくとも１つを含む機能を遂行することが不可能な場合、該選択された特定の１つの項目に対する削除機能のみの項目を提供するステップと、のうちの少なくとも１つのステップを更に含むことを特徴とする請求項１に記載の携帯端末機の運用方法。
【請求項１１】
接触を検知することによりタッチイベントを生成するタッチパネルと、
少なくとも１つの項目を有する通信関連リストが第１の方向に表示されるリスト領域を有する表示部と、
前記表示部に表示される前記項目のイメージ表示の変化を制御する制御部と、を備え、
前記制御部は、
タッチダウンイベントに応答して前記少なくとも１つの項目のうちの特定の１つを選択し、前記選択された特定の１つの項目上で第２の方向に発生したドラッグ又はスイープイベントに応答して前記選択された特定の１つの項目に既設定された特定機能を遂行するように制御することを特徴とする携帯端末機。
【請求項１２】
前記制御部は、
前記ドラッグ又はスイープイベントに応答して前記選択された特定の１つの項目のための視覚的フィードバックを提供するように更に制御し、
前記選択された特定の１つの項目の右端又は左端は、前記視覚的フィードバックによって示される前記ドラッグ又はスイープイベントにより移動され、
前記選択された特定の１つの項目の残りの部分は、前記視覚的フィードバックにより、縮小されたサイズで表示され、
前記視覚的フィードバックは、
前記選択された特定の１つの項目を有するページのイメージをめくる、
前記選択された特定の１つの項目を有する狭い粘着テープのイメージを剥がす、
前記選択された特定の１つの項目のイメージを該選択された特定の１つの項目の前記右端又は左端から筒状の形状に巻く、
前記選択された特定の１つの項目のイメージを回転させる、及び
前記選択された特定の１つの項目のイメージを前記右端又は左端から部分的且つ徐々に除去する、のうちの少なくとも１つを含むことを特徴とする請求項１１に記載の携帯端末機。
【請求項１３】
前記制御部は、
前記視覚的フィードバックを解除するように更に制御し、
（１）境界地点を通過する前に前記ドラッグ又はスイープイベントが解除された場合、
（２）境界地点を通過した後に前記ドラッグ又はスイープイベントが解除された場合、
（３）境界地点を通過する前に前記ドラッグ又はスイープイベントが前記第２の方向から外れた場合、及び
（４）境界地点を通過した後に前記ドラッグ又はスイープイベントが前記第２の方向から外れた場合、のうちの少なくともいずれか１つの場合に前記視覚的フィードバックを解除することを特徴とする請求項１２に記載の携帯端末機。
【請求項１４】
前記制御部は、
前記選択された特定の１つの項目の前記残りの部分以外の部分で前記特定機能に関する情報を出力するように更に制御し、
前記特定機能に関する情報は、テキスト、アイコン、イメージ、及び音声のうちの少なくとも１つの形態で出力されることを特徴とする請求項１３に記載の携帯端末機。
【請求項１５】
前記制御部は、
前記ドラッグ又はスイープイベントの方向により、それぞれ異なる特定機能を遂行するように更に制御し、
特定機能を遂行することが不可能な前記選択された特定の１つの項目のためのグラフィック効果を提供するか、又は特定機能を遂行することが不可能な前記選択された特定の１つの項目に対する削除機能のみの項目を提供するように更に制御することを特徴とする請求項１２に記載の携帯端末機。
【発明の詳細な説明】
【技術分野】
【０００１】
本発明は、携帯端末機に予めプログラムされた機能を遂行ための方法及びこれを用いた携帯端末機に関し、より詳細には、スクロールが可能な通信関連リストが配置された状態で、携帯端末機のタッチスクリーン上にタッチイベントが発生したとき、選択された１つの項目に既設定された特定機能を遂行するための運用方法及びこれを用いた携帯端末機に関する。
【背景技術】
【０００２】
携帯端末機は、移動性をベースに多様なユーザ機能を支援する端末機であり、その利用の便利性及び携帯の容易性などにより非常に幅広い分野で利用されている。このような携帯端末機は、ユーザ機能提供のために多様な入力方式を提供している。例えば、従来の携帯端末機は、携帯端末機の一側に機構的に配置されるキーパッド等を通じて、一定の文字や数字を入力できるように支援する。また、最近の携帯端末機は、携帯性のためにその大きさが限定され得るが、このような小型の携帯端末機で適切な表示部の大きさを確保するために、キーパッドを除去して表示部にタッチパネルを配置するタッチスクリーンを支援する。
【０００３】
一方、従来の携帯端末機において、ユーザは、特定ユーザ機能、例えば、通信関連機能を利用しようとする場合、画面間のページ切り替えによって情報を習得した後で通信関連機能を使用している。例えば、従来の携帯端末機のユーザは、特定相手方に電話通話をしようとする場合、電話帳（フォンブック）検索画面と、電話帳で特定相手方に対応する情報を検索した後、該当情報に基づき電話をかけるための画面など、複数の画面を確認しなければならないという不便があった。
【発明の概要】
【発明が解決しようとする課題】
【０００４】
本発明は、上記従来の問題点に鑑みてなされたものであって、本発明の目的は、通信関連リストに既設定された特定機能をより容易且つ迅速に行うことができるように、通信関連リスト上のタッチイベントを通して特定機能を遂行するための運用方法及びこれを用いた携帯端末機を提供することにある。
【課題を解決するための手段】
【０００５】
上記目的を達成するためになされた本発明の一態様による携帯端末機におけるタッチベースの運用方法は、少なくとも１つの項目を有する通信関連リストを第１の方向に表示するステップと、第１タッチイベントに応答して前記少なくとも１つの項目のうちの特定の１つを選択するステップと、前記選択された特定の１つの項目上で第２の方向に第２タッチイベントが発生するか否かを確認ステップと、前記第２の方向に発生した前記第２タッチイベントに応答して前記選択された特定の１つの項目に既設定された特定機能を遂行するステップと、を有することを特徴とする。
【０００６】
上記目的を達成するためになされた本発明の一態様による携帯端末機は、接触を検知することによりタッチイベントを生成するタッチパネルと、少なくとも１つの項目を有する通信関連リストが第１の方向に表示されるリスト領域を有する表示部と、前記表示部に表示される前記項目のイメージ表示の変化を制御する制御部と、を備え、前記制御部は、タッチダウンイベントに応答して前記少なくとも１つの項目のうちの特定の１つを選択し、前記選択された特定の１つの項目上で第２の方向に発生したドラッグ又はスイープイベントに応答して前記選択された特定の１つの項目に既設定された特定機能を遂行するように制御することを特徴とする。
【発明の効果】
【０００７】
本発明の通信関連リスト上のタッチイベントを通じて特定機能を遂行するための運用方法及びこれを用いた携帯端末機によれば、ユーザが選択した特定情報に基づいて通話と関連する多様な機能を画面の切り替え無しに速く且つ容易に行うことができる。
【図面の簡単な説明】
【０００８】
【図１】本発明の一実施形態による携帯端末機の構成を概略的に示すブロック図である。
【図２】本発明の第１実施形態による携帯端末機におけるタッチベースの運用方法を示す画面例である。
【図３】本発明の第２実施形態による携帯端末機におけるタッチベースの運用方法を示す画面例である。
【図４】本発明の第３実施形態による携帯端末機におけるタッチベースの運用方法を示す画面例である。
【図５】本発明の一実施形態による携帯端末機におけるタッチベースの運用方法を示すフロー図である。
【発明を実施するための形態】
【０００９】
以下、本発明を実施するための形態の具体例を、図面を参照しながら詳細に説明する。下記の説明では、本発明の実施形態による動作を理解するのに必要な部分だけを説明し、それ以外の部分の説明は、本発明の要旨を不明瞭にしないように省略することに留意すべきである。
【００１０】
以下で説明する本明細書及び特許請求の範囲に使用する用語や単語は、通常的又は辞書的意味として限定して解釈してはならず、発明者は自分の発明を最善の方法で説明するために用語の概念によって適切に定義できるという原則に基づき、本発明の技術的思想に符合する意味及び概念として解釈されなければならない。従って、本明細書に記載した実施形態及び図面に示した構成は、本発明の最も好ましい一実施形態に過ぎないものであって、本発明の技術的思想を全部代弁するものではないため、本出願時点においてこれらを代替できる多様な均等物と変形例がある可能性があることを理解しなければならない。
【００１１】
図１は、本発明の一実施形態による携帯端末機の構成を概略的に示すブロック図である。
【００１２】
図１を参照すると、本実施形態の携帯端末機は、無線周波数部１１０、入力部１２０、オーディオ処理部１３０、タッチスクリーン１４０、格納部１５０、及び制御部１６０から構成される。
【００１３】
このような構成を有する携帯端末機は、ユーザが、選択された項目（ｉｔｅｍ）上でスクロールが発生しない方向にタッチイベントを発生させると、他の付加的なページ画面を要求することなく、スクロールが可能な通信関連リストに配置された選択された１つの項目に既設定された特定機能を遂行することができる。特に、通信関連リストのそれぞれの項目に既設定された遂行可能な機能は、通話ログ（ｃａｌｌ  ｌｏｇ）又は電話帳（ｐｈｏｎｅｂｏｏｋ）に基づく通話機能、メッセージリスト又は電話帳に基づくメッセージ機能、電子メールリスト又は電話帳に基づく電子メール機能などであってもよく、このような遂行可能な機能は、選択的に設定されてもよく、或いは、例えばユーザや製造業者によって変更され得る。このため、携帯端末機は、別途に、それぞれの項目で遂行可能な機能を設定するための編集メニューやページを提供してもよい。以下、携帯端末機の各構成についてより詳細に説明する。
【００１４】
無線周波数部１１０は、必要な通信チャネルの形成を制御部１６０の制御下で行う。即ち、無線周波数部１１０は、音声通話チャネル、映像通話チャネル、及びデータ通信チャネルを移動通信システムとして形成する。このため、無線周波数部１１０は、送信する信号の周波数を上昇変換及び増幅する無線周波数送信部と、受信した信号を低雑音増幅して周波数を下降変換する無線周波数受信部とを含む。このような無線周波数部１１０は、タッチスクリーン１４０のタッチパネル１４３で生成されるタッチイベントにより、制御部１６０の制御下で選択される。
【００１５】
特に、本発明の一実施形態において、無線周波数部１１０に基づき遂行されるいくつかの機能は、メニューアイコン、イメージ、又は他のグラフィック要素として提供可能であり、上記これらの機能は、他の携帯端末機の機能と共にリスト形態で表示される場合、ユーザのタッチイベントにより選択されて実行される。即ち、メニューページが、無線周波数部１１０及び他の種類の機能に基づく機能を示す複数のグラフィック要素を含む場合、携帯端末機は、選択されたグラフィック要素上でスクロールが発生しない方向にもたらされたタッチイベントによって、無線周波数部１１０に基づき特定機能を遂行する。ここで、携帯端末機は、無線周波数部１１０に基づく機能に関連し、画面上で、例えば電話帳ページ、メッセージ作成ページ、電子メール作成ページ、通話ログページ、受信メッセージページなどを提供することができる。
【００１６】
入力部１２０は、ユーザの指示を受けるために構成された複数の通常入力キー及び特定のファンクションキーを含む。ファンクションキーは、方向キー、サイドキー、ショートカットキー、及び他の特定機能を遂行するために設定されたキーなどを含んでもよい。また、入力部１２０は、ユーザの指示に関連して多様なキー信号を生成し、これらを制御部１６０に伝達する。このような入力部１２０は、複数のキーを含み、Ｑｗｅｒｔｙキーパッド、３×４キーパッド、４×３キーパッド、Ｄｖｏｒａｋキーパッド等で構成される。他の実施形態として、入力部１２０は、携帯端末機のタッチスクリーン１４０がフルタッチスクリーンの形態で提供される場合には省略され、タッチスクリーン１４０に代替される。
【００１７】
オーディオ処理部１３０は、オーディオ信号を出力するためのスピーカ（ＳＰＫ）と、オーディオ信号受けるためのマイクロフォン（ＭＩＣ）とを含む。このようなオーディオ処理部１３０は、ユーザインターフェースの画面で各イメージやページが変更されると、それに対応するオーディオ信号を出力し、これは製造業者により予め設定されるか、或いはユーザにより新しく設定され得る。
【００１８】
特に、オーディオ処理部１３０は、選択された機能の遂行に応じて特定のオーディオ信号を出力する。即ち、ユーザが、通信関連リストの選択された項目上でスクロールが発生しない方向にタッチイベントを発生させると、オーディオ処理部１３０は、ユーザのタッチイベントにより行われる選択された機能に関する所定のオーディオ信号を出力してユーザに知らせる。例えば、選択された項目上で左側方向へのタッチドラッグイベントが発生すると、オーディオ処理部１３０は、制御部１６０の制御下で、選択された項目に既設定されたオーディオ信号、例えば「通話呼び出し（ｄｉａｌｉｎｇ）」を通知するオーディオ信号を出力する。
【００１９】
再び図１を参照すると、タッチスクリーン１４０は、表示部１４１とタッチパネル１４３とを含む。一般的に、タッチパネル１４３は、表示部１４１の前面の全体に亘って配置される。タッチスクリーン１４０の大きさは、タッチパネル１４３の大きさにより決定される。
【００２０】
表示部１４１は、携帯端末機の運用に関連して多様な情報を画面上に表示する。即ち、表示部１４１は、待機画面、メニュー画面、通話画面、メッセージ画面などの多様な画面を提供する。
【００２１】
特に、本発明の一実施形態において、表示部１４１は、少なくとも１つの項目を有するスクロールが可能な通信関連リストを出力し、画面上で、通信関連リストから特定の項目を選択することにより引き起こされる視覚的フィードバック、タッチイベントの発生に応答して選択された項目のイメージの変化、イメージの変化による背景効果、選択された項目における特定機能の遂行を示すイメージなどを提供する。一方、表示部１４１は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）、薄膜技術を用いた他の種類の表示装置等で形成される。このような表示部１４１は、タッチパネル１４３の大きさに比べて小さい大きさを有し、タッチパネル１４３の下部に配置される。タッチスクリーンと表示部とは部分的又は完全に重なることもできる。
【００２２】
タッチパネル１４３は、表示部１４１を覆うように配置され、ユーザの指（又はスタイラスペン）のような物体の接触又は物体のアクセス距離によってタッチイベントを生成し、生成されたタッチイベントを制御部１６０に伝達する。タッチパネル１４３は、マトリックス形態に配列されたタッチセンサーで構成され、タッチパネル１４３上で発生するタッチイベントに対して、該当位置情報と、タッチイベントの種類に関する情報とを制御部１６０に伝達する。タッチイベントの種類は、タッチパネルに物体を接触させることで発生するタッチダウンイベント、タッチパネルから物体の接触を解除することで発生するタッチアップ又はタッチ解除イベント、タッチパネルに接触したまま移動させることで発生するスイープ（Ｓｗｅｅｐ）又はタッチドラッグイベント、迅速且つ加速度的に接触を移動させることで発生するフリックイベント等を含んでもよい。タッチパネル１４３がタッチイベントを制御部１６０に伝達すると、制御部１６０は、位置情報及び受信したタッチイベントの種類を確認し、タッチイベントの位置にマッピングされた表示イメージを確認した後、表示イメージにリンクされている特定機能を活性化するように制御する。
【００２３】
引き続き図１を参照すると、格納部１５０は、携帯端末機の運用のために要求される多様なアプリケーションやデータを格納し、タッチスクリーン１４０の運用のためのキーマップやメニューマップ等を格納する。ここでキーマップやメニューマップは、多様な形態で提供される。即ち、キーマップは、例えばキーボードマップ、３×４キーマップ、Ｑｗｅｒｔｙキーマップ、Ｄｖｏｒａｋキーマップ等であってもよく、現在活性化されているアプリケーションの運用のための制御キーマップであってもよい。また、メニューマップは、現在活性化されているアプリケーションの運用のための特定のメニューマップであってもよく、携帯端末機のために用いられる多様なメニュー項目を有する他のメニューマップであってもよい。このような格納部１５０は、プログラム領域とデータ領域とを含んでもよい。
【００２４】
プログラム領域は、携帯端末機の起動及び上述した各構成の運用のためのオペレーティングシステム（ＯＳ：Ｏｐｅｒａｔｉｎｇ  Ｓｙｓｔｅｍ）、通話機能を支援するためのアプリケーション、インターネットサーバに接続するためのＷｅｂブラウザ、音楽ファイルを再生するためのアプリケーション、画像ファイルを表示するためのアプリケーション、映像ファイルを再生するためのアプリケーション等を格納してもよい。
【００２５】
特に、本実施形態によるプログラム領域は、タッチに関連する機能を支援するためのタッチベースの運用アプリケーションを格納し、このタッチベースの運用アプリケーションは、ユーザが、第１の方向、例えばスクロールが発生する方向に第１の種類のタッチイベントを発生させたときに通信関連リストのスクロールを行うように制御する制御ルーチンと、ユーザが、第２の方向、例えばスクロールが発生しない方向に第２の種類のタッチイベントを発生させたときに通信関連リストに配置された項目に既設定されている特定機能を遂行するように制御する制御ルーチンと、その他の必要な制御ルーチンを含む。また、プログラム領域は、タッチイベントの発生に応じて選択された項目に対応するイメージの変化ルーチンを含んでもよい。
【００２６】
データ領域は、携帯端末機の使用中に発生するデータを格納し、具体的には、携帯端末機が提供する多様なオプション機能に関連するユーザデータを格納することができ、電話帳（フォンブック）情報、ウィジェット機能による少なくとも１つのアイコン、重要な多様なコンテンツなどを格納することができる。また、データ領域は、タッチスクリーン１４０を通じてユーザから受信した入力データを格納することができる。
【００２７】
特に、本実施形態のデータ領域は、通信関連リストに配置された項目、それぞれの項目に割り当てられた遂行可能な機能、項目上で発生するタッチイベントの種類、及びタッチイベントの発生により遂行される特定機能間の関係が設定されたマッピングテーブルを格納する。例えば、通信関連リストの各項目は、「音声通話呼び出し」、「メッセージ作成」、「電子メール作成」、「映像通話呼び出し」、及び「項目削除」のうちの少なくとも１つの機能にリンクされる。
【００２８】
引き続き図１を参照すると、制御部１６０は、携帯端末機に関する全体の制御機能を遂行して携帯端末機の各構成要素間の信号の流れを制御する。具体的には、少なくとも１つの項目を有するスクロールが可能な通信関連リストが表示部１４１に表示され、且つスクロールが発生しない方向にタッチイベントが発生すると、制御部１６０は、格納部１５０のデータ領域に格納されたマッピングテーブルを参照する。そして、制御部１６０は、選択された項目及びタッチイベントに割り当てられた特定機能に関する情報をテーブルから取り出す。このようにして、制御部１６０は、テキスト、グラフィック、及び／又は音声情報による多様な形態で適切な情報を提供してユーザのタッチイベントにより遂行されて選択された機能に関してユーザに知らせることができる。その後、タッチイベントが、選択された機能を活性化するための境界地点を通過すると、制御部１６０は、選択された機能を遂行する。ここで、制御部１６０は、選択された機能の遂行に関連する所定のグラフィック効果を提供するように制御する。
【００２９】
図２は、本発明の第１実施形態による携帯端末機におけるタッチベースの運用方法を示す画面例であり、通話ログに基づくユーザインターフェースと共に特定機能を遂行するタッチベース処理を示す。
【００３０】
図２を参照すると、表示部１４１は、＜１０１＞画面に示すように、インジケータ領域１１、題名領域１３、リスト領域１５、及び制御キー領域１７を含む。
【００３１】
インジケータ領域１１は、携帯端末機の状態を示すいくつかのアイコンを出力する。例えば、インジケータ領域１１は、無線周波数部の受信信号強度を示すアイコン、携帯端末機のマナーモード状態を示すアイコン、バッテリの残量を示すアイコンなどを含む。
【００３２】
題名領域１３は、リスト領域１５に表示される通信関連リストの題名（ｔｉｔｌｅ）を出力する。図２の例で、題名領域１３は、リスト領域１５に表示されるリストが通話ログ（ｃａｌｌ  ｌｏｇ）であることを示す。
【００３３】
リスト領域１５は、題名領域１３に示す題名を有する通信関連リストのうちの少なくとも１つの項目を出力する。即ち、題名領域１３が通話ログを表示する場合、リスト領域１５は、図２に各「Ｃａｌｌｅｒ  ＩＤ」として表した通話呼び出しを発生させる詳細項目を示す。これらの項目は、通話呼び出し、着信呼び出し、留守受信呼び出しなどの種類により整列されるか又は配置される。更に、リスト領域１５は、図示したように各項目に識別ボックス２１を更に出力することができる。識別ボックス２１は、項目の種類を示す特定のアイコンを表示するか、或いはＣａｌｌｅｒ  ＩＤに該当する画像を表示してもよい。
【００３４】
制御キー領域１７は、例えば、「Ｂａｃｋ」キー、「ＯＫ」キー、及び「Ｍｅｎｕ」キーを出力して表示する。「Ｂａｃｋ」キーは、以前のページに戻る指示に用いられ、「ＯＫ」キーは、指定されたリストの詳細情報の表示など、項目の選択に続く所定の機能の活性化指示に用いられ、「Ｍｅｎｕ」キーは、例えば、メニュー項目の内容を更に進める指示に用いられる。この制御キー領域１７は、製造業者の意図やユーザの設定などにより除去されたり部分的に使用されたりする。
【００３５】
上述したように、リスト領域１５には、複数の項目、例えば、「Ｃａｌｌｅｒ  ＩＤ１、Ｃａｌｌｅｒ  ＩＤ２、Ｃａｌｌｅｒ  ＩＤ３、Ｃａｌｌｅｒ  ＩＤ４、Ｃａｌｌｅｒ  ＩＤ５」が配置されている。通常、リスト領域１５は、このような項目を画面の外に向かって縦方向に移動させるスクロール機能を提供する。ユーザは、表示されたリストをスクロールするため、任意の場所（例えば、図示した「Ｃａｌｌｅｒ  ＩＤ３」）をタッチした後、画面にタッチしたまま、例示したようなスクロール可能な第１の方向である縦方向にドラッグすることができる。
【００３６】
また、ユーザは、これらの項目に設定された機能のうちの特定の１つを活性化するため、＜１０３＞画面に示すように特定の項目（例えば、「Ｃａｌｌｅｒ  ＩＤ３」）を意図的に選択することができる。即ち、これらの項目のうちの特定の１つを選択しようとするユーザは、この項目上でタッチダウンイベントのような第１タッチイベントを発生させる。そうすると、携帯端末機は、特定の項目を選択したことを示すためにユーザに視覚的フィードバックを提供することができる。例えば、選択された項目のイメージは、はっきりと識別できる特定色、反転色、及び／又はハイライトで表わされる。
【００３７】
携帯端末機が３×４、４×３、Ｑｗｅｒｔｙ、又はＤｖｏｒａｋのような一般的なキーパッドを有する場合、ユーザは、キーパッドの方向キーや数字キーを用いて特定の項目を選択することができる。一方、携帯端末機は、選択された項目に関する表示された情報を変更することができる。即ち、＜１０１＞画面で前に選択された「Ｃａｌｌｅｒ  ＩＤ３」で表示された特定の項目は、次に選択される＜１０３＞画面で「Ｎｕｍｂｅｒ」項目に変更される。例えば、「Ｃａｌｌｅｒ  ＩＤ３」は「太郎」であってもよく、「Ｎｕｍｂｅｒ」は電話帳に記録された「太郎」の電話番号であってもよい。或いは、「Ｃａｌｌｅｒ  ＩＤ３」が、信頼できる相手方の電話番号である場合、「Ｎｕｍｂｅｒ」は、電話帳に記録された情報のうちの他のインデックス情報であってもよい。このような項目は選択された後も変更されずに残る。
【００３８】
特定の項目を選択した後、ユーザは、上述したように表示リストをスクロールする第２タッチイベントを発生させることができる。即ち、＜１０３＞画面に示すように、特定の項目（例えば、図示した「Ｃａｌｌｅｒ  ＩＤ３」）上で、タッチダウンイベントを発生させたユーザは、リスト領域１５でタッチポイントを上方向又は下方向に移動することができる。そうすると、携帯端末機は、このドラッグイベントをスクロールの入力信号として認識し、これによってリスト領域１５の表示を変更することができる。即ち、リスト領域１５で見られない追加的な項目がリストに存在する場合、この項目は、スクロールを通じて１つずつ表示される。ここで、携帯端末機は、リストがスクロールされている間、特定項目の選択を示す視覚的フィードバックを解除する。即ち、選択された項目のイメージは、スクロールが終了すると、元の色又はハイライトされない表示になる。
【００３９】
スクロール機能を遂行するためのタッチイベントは、上述したタッチドラッグ（ｔｏｕｃｈ  ａｎｄ  ｄｒａｇ）に限定されるものではない。他の形態として、例えばフリック（ｆｌｉｃｋ）イベント手段によってもスクロール機能が遂行される。即ち、スクロールによるリストの移動は、タッチドラッグの移動距離やフリックイベントの加速度の強さによって決定され、設計者の設計規格やユーザの設定によって固定又は変更され得る。
【００４０】
引き続き図２を参照すると、＜１０３＞画面に示すように、特定の項目（例えば、「Ｃａｌｌｅｒ  ＩＤ３」）を選択した後、特定機能を使用したいユーザは、＜１０５＞画面又は＜１０７＞画面に示すように、選択された項目上で、例えばスクロールが発生しない方向である第２の方向に第２タッチイベントを発生させることができる。例えば、ユーザが、タッチした項目を右側方向にスイープ又はドラッグすると、携帯端末機は、＜１０５＞画面に示したように、タッチされた項目を右方向に移動し、次に、携帯端末機は、「Ｃａｌｌｅｒ  ＩＤ３」項目上の右方向のタッチイベントに割り当てられた特定の遂行可能な機能（例えば、図示した「Ｃａｌｌｅｒ  ＩＤ３」）に関する情報を、移動した項目の左にテキストやイメージの形態で出力する。そして、このタッチイベントが所定の境界地点を通過した時、携帯端末機は選択された機能を遂行する。
【００４１】
一方、ユーザが、タッチした項目を左側方向にドラッグ又はスイープすると、携帯端末機は、＜１０７＞画面に示すように、タッチされた項目を左方向に移動し、次に、携帯端末機は、「Ｃａｌｌｅｒ  ＩＤ３」項目上の左方向のタッチイベントに割り当てられた特定の遂行可能な機能（例えば、図示した「ＳＭＳ」）に関する情報を、移動した項目の右にテキストやイメージの形態で出力する。そして、このタッチイベントが所定の境界地点を通過した時、携帯端末機は選択された機能を遂行する。
【００４２】
一方、ユーザが、タッチした項目をスイープ又はドラッグすると、携帯端末機は、＜１０５＞画面及び＜１０７＞画面に示すように、タッチされて移動された項目と同じ特定機能を表わすための視覚的フィードバックを提供することができる。また、移動された項目の左又は右に表われる特定機能のための視覚的フィードバックを提供する場合、携帯端末機は、同一の色や形態を用いてもよく、左方向又は右方向のタッチイベントにそれぞれ割り当てられた異なる機能間の直観的な違いを高めるために、異なる色や異なる形態を用いてもよい。
【００４３】
以上で説明したように、本実施形態による携帯端末機は、ユーザが、選択した項目上で少なくとも左方向又は右方向であるスクロールが発生しない方向にタッチイベントを発生させると、別途のページ画面を必要とせずに、スクロールが可能な通信関連リストに配置された選択された１つの項目に既設定された特定機能を遂行することができるようにする。これにより、ユーザは、項目を容易に選択して別途のページや入力を必要とせずに単一の画面上で所望の機能を迅速に使用することができるようになる。
【００４４】
図３は、本発明の第２実施形態による携帯端末機におけるタッチベースの運用方法を示す画面例であり、電話帳に基づくユーザインターフェースと共に特定機能を遂行するタッチベース処理を示す。
【００４５】
図３を参照すると、表示部１４１は、＜２０１＞画面に示すように、インジケータ領域１１、題名領域１３、リスト領域１５、及び制御キー領域１７を含む。ここで、インジケータ領域１１及び制御キー領域１７は、図２で説明した領域と同一であるため、それに対する詳細な説明は省略する。
【００４６】
題名領域１３は、リスト領域１５に表示される通信関連リストの題名を出力表示する。図３の例で、題名領域１３は、リスト領域１５に表示されたリストが通話帳（Ｐｈｏｎｅ  Ｂｏｏｋ）であることを示す。
【００４７】
リスト領域１５は、題名領域１３に示す題名を有する通信関連リストのうちの少なくとも１つの項目を出力する。即ち、題名領域１３が電話帳（Ｐｈｏｎｅ  Ｂｏｏｋ）を示す場合、リスト領域１５は、相手方の名前、電話番号、写真、通信履歴などの電話帳の詳細項目を示す。図３は、各項目に配置された相手方の名前を示す。これらの項目は、アルファベットや電話番号などによって格納されるか又は整列される。更に、これらの項目は、相手方の写真の大きさを変更した画像を出力した識別ボックスを有してもよい。
【００４８】
上述したように、リスト領域１５は、相手方の名前を、例えば、図示したように「Ａｄａｍ、Ａｕｒａ  Ｂｉｌｌ、Ｂｉｌｌ、Ｃｈｕｌ−ｓｕ、Ｃｒｉｍｓｏｎ」等を配置する。通常、リスト領域１５は、このような項目を画面の外へ縦に移動させるスクロール機能を提供することができる。表示されたリストをスクロールするため、ユーザは、任意の場所（例えば、図示した「Ｂｉｌｌ」）をタッチした後、画面をタッチしたままスクロールが発生する方向（例えば、図示した縦方向）にドラッグする。
【００４９】
例えば、＜２０３＞画面に示すように、ユーザが上側方向にタッチドラッグイベントを発生させると、携帯端末機は、電話帳リストを上側方向にスクロールして表示する。これにより、「Ａｄａｍ、Ａｕｒａ  Ｂｉｌｌ」項目が画面から除去され、代わりに他の「Ｄｒａｋｏｏｎ、Ｄｕｌｉ」項目が画面に表われる。ここで、携帯端末機は、リストがスクロールされている間、タッチされた項目（例えば、＜２０１＞画面の「Ｂｉｌｌ」）を示す視覚的フィードバックを解除することができる。即ち、選択された項目のイメージは、スクロールが終了すると、元の色又はハイライトされない表示になる。
【００５０】
一方、＜２０１＞画面に示すように、ユーザが、特定の項目（例えば、「Ｂｉｌｌ」）をタッチすると、携帯端末機は、ユーザに特定項目の選択を示す視覚的フィードバックを提供することができる。例えば、選択された「Ｂｉｌｌ」項目のイメージは、はっきりと識別できる特定色、反転色、又はハイライトで表わされる。ここで、携帯端末機が通常のキーパッドを有する場合、ユーザは、キーパッドの方向キーや数字キーを用いて特定項目を選択してもよい。また振動させたり背景をフラッシュしたりすることもできる。
【００５１】
スクロール機能を遂行するためのタッチイベントは、上述したタッチドラッグに限定されるものではなく、代わりに、スクロール機能は、フリックイベント手段によって遂行してもよい。一方、スクロールによるリストの移動は、ドラッグイベントの移動距離やフリックイベントの加速度の強さによって決定され、設計者の設計規格やユーザの設定によって固定又は変更され得る。
【００５２】
引き続き図３を参照すると、＜２０１＞画面に示すように、特定の項目（例えば、「Ｂｉｌｌ」）を選択した後、特定機能を使用したいユーザは、＜２０５＞画面又は＜２０７＞画面に示すように、選択された項目上で、スクロールが発生しない方向に第２タッチイベントを発生させることができる。例えば、ユーザが、タッチした項目を左側方向にスイープ又はドラッグすると、携帯端末機は、＜２０５＞画面に示すように、タッチされた項目を左方向に移動し、次に、携帯端末機は、「Ｂｉｌｌ」項目上の左方向のタッチイベントに割り当てられた特定の遂行可能な機能（例えば、図示した「Ｄｅｌｅｔｅ」）に関する情報を、移動した項目の右にテキストやイメージの形態で出力する。そして、このタッチイベントが所定の境界地点を通過した時、携帯端末機は選択された機能を遂行する。
【００５３】
具体的には、タッチされた「Ｂｉｌｌ」項目が移動される場合、携帯端末機は、＜２０５＞画面に示すように、ページをめくるか或いは狭い粘着テープを剥がすような視覚的フィードバックを提供することができる。従って、タッチされた項目の右端が左に移動されると、タッチされた項目の残りの部分が除去される。ここで、このような視覚効果は、多様な形態に変更され得る。また、タッチされた項目の右端の移動は、ドラッグ又はスイープイベントに依存する。即ち、タッチされた項目の右端の移動距離や速度は、ドラッグ又はスイープを実施する距離及び速度によって変化する。
【００５４】
一方、ユーザが、タッチした「Ｂｉｌｌ」項目を右側方向にスイープ又はドラッグすると、携帯端末は、＜２０７＞画面に筒状で示すように、タッチされた項目を右に移動し、次に、携帯端末は、この「Ｂｉｌｌ」項目上で右方向のタッチイベントに割り当てられた特定の遂行可能な機能（例えば、図示した「Ｅｄｉｔ」）に関する情報を、移動した項目の左にテキストやイメージの形態で出力する。そして、このタッチイベントが所定の境界地点を通過した時、携帯端末機は選択された機能を遂行する。
【００５５】
具体的には、タッチされた「Ｂｉｌｌ」項目が移動される場合、携帯端末機は、＜２０７＞画面に示すように、タッチされた項目の左端が巻かれるような視覚的フィードバックを提供することができる。従って、タッチされた項目の左端が右に移動されると、タッチされた項目の残りの部分が除去される。ここで、このような視覚効果は、多様な形態に変更され得る。
【００５６】
一方、ユーザが、タッチした項目をスイープ又はドラッグすると、携帯端末機は、＜２０５＞画面及び＜２０７＞画面に示すように、タッチされて移動された項目と同じ特定機能を表わすための視覚的フィードバックも提供することができる。また、移動された項目の左又は右に表われる特定機能のための視覚的フィードバックを提供する場合、携帯端末機は、同一の色や形態を用いてもよく、左方向又は右方向のタッチイベントにそれぞれ割り当てられた異なる機能間の直観的な違いを高めるために、異なる色や異なる形態を用いてもよい。
【００５７】
図２及び図３では、選択された項目に既設定された特定の遂行可能な機能として「通話呼び出し（Ｃａｌｌ）」、「メッセージ作成（ＳＭＳ）」、「削除（Ｄｅｌｅｔｅ）」、及び「編集（Ｅｄｉｔ）」を使用して説明したが、これらの項目は、例示的なものであって、本発明を限定するものとして考慮すべきではない。他の遂行可能な機能もまたそれぞれの項目に割り当てられ、必要に応じて、ユーザによって変更され得る。
【００５８】
図４は、本発明の第３実施形態による携帯端末機におけるタッチベースの運用方法を示す画面例であり、メッセージリストに基づくユーザインターフェースと共に特定機能を遂行するタッチベース処理を示す。
【００５９】
図４を参照すると、表示部１４１は、＜３０１＞画面に示すように、インジケータ領域１１、題名領域１３、リスト領域１５、及び制御キー領域１７を含み、これらの全ては既に説明した通りである。
【００６０】
題名領域１３は、リスト領域１５に表示される通信関連リストの題名を出力する。図４の例で、題名領域１３は、リスト領域１５に表示されるリストがメッセージ受信箱であることを示す。ここで、メッセージ送信箱又は全てのメッセージ箱が、代わりに題名領域１３に用いられ得る。
【００６１】
リスト領域１５は、題名領域１３に示す題名を有する通信関連リストのうちの少なくとも１つの項目を出力する。即ち、題名領域１３がメッセージ受信箱を示す表示をする場合、リスト領域１５は、メッセージ受信箱、即ち受信したメッセージ中の詳細項目を示す。これらの項目は、格納されるか又は受信した順序などによって整列される。更に、これらの項目は、受信したメッセージを示す封筒形態のアイコンを出力するための識別ボックスを有してもよい。
【００６２】
上述したように、リスト領域１５は、受信したメッセージに関する情報、例えば、図示したような「０１０−９７９７−７９０３、太郎、Ａｄａｍ、１００４、０７０−２６６３−７８１４」を配置する。受信したメッセージの送信元が電話帳に記録されている場合、リスト領域１５に出力される情報は、例えば、電話帳に記録された送信元の名前のような特定の索引であり得る。この例で、「太郎、Ａｄａｍ」は電話帳に記録された送信元である。受信したメッセージの送信元が、電話帳に記録されていない場合、リスト領域１５に出力される情報は、電話番号そのものであり得る。
【００６３】
上述したように、リスト領域１５は、このような項目を画面の外へ縦方向に移動させるスクロール機能を提供することができる。表示されたリストをスクロールするため、ユーザは、任意の場所（例えば、図示した「Ａｄａｍ」）をタッチした後、画面をタッチしたままスクロールが発生する方向（例えば、図示した縦方向）にドラッグする。
【００６４】
例えば、＜３０３＞画面に示すように、ユーザが上側方向にタッチドラッグイベントを発生させると、携帯端末機は、上側方向にスクロールされるリストを表示する。即ち、＜３０１＞画面に示す「０１０−９７９７−７９０３」項目が、＜３０３＞画面から除去され、代わりに他の「春子」項目が画面に表われる。ここで、携帯端末機は、リストがスクロールされている間、タッチされた項目（例えば、＜３０１＞画面の「Ａｄａｍ」）を示す視覚的フィードバックを解除する。即ち、選択された項目のイメージは、スクロールが終了すると、元の色又はハイライトされない表示になる。
【００６５】
一方、＜３０１＞画面に示すように、ユーザが、特定の項目（例えば、「Ａｄａｍ」をタッチすると、携帯端末機は、ユーザに特定項目の選択を示す視覚的フィードバックを提供することができる。例えば、選択された「Ａｄａｍ」項目のイメージは、はっきりと識別できる特定色、輝度、フラッシュ、反転色、サイズ変更、徐々にハイライト表示するなどにより表わすことができる。ここで、携帯端末機が通常のキーパッドを有する場合、ユーザは、キーパッドの方向キーや数字キーを用いて特定項目を選択してもよい。
【００６６】
スクロール機能を遂行するためのタッチイベントは、上述したタッチドラッグに限定されるものではなく、代わりに、例えば、スクロール機能は、フリックイベント手段によって遂行してもよい。一方、スクロールによるリストの移動は、ドラッグイベントの移動距離やフリックイベントの加速度の強さによって決定され、設計者の設計規格やユーザの設定によって固定又は変更され得る。
【００６７】
図４の＜３０１＞画面に示すように、特定の項目（例えば、「Ａｄａｍ」）を選択した後、特定機能を使用したいユーザは、＜３０５＞画面又は＜３０７＞画面に示すように、選択された項目上でスクロールが発生しない方向に第２タッチイベントを発生させることができる。例えば、ユーザが、タッチした項目を左側方向に移動すると、携帯端末機は、＜３０５＞画面に示すように、タッチされた項目を左に移動し、次に、携帯端末機は、この「Ａｄａｍ」項目上の左方向のタッチイベントに割り当てられた特定の遂行可能な機能（例えば、図示した「返信」）に関する情報を、移動した項目の右にテキストやイメージの形態で出力する。そして、このタッチイベントが所定の境界地点を通過した時、携帯端末機は選択された機能を遂行する。
【００６８】
より具体的には、タッチされた「Ａｄａｍ」項目が移動される場合、携帯端末機は、＜３０５＞画面に示すように、タッチされた項目のイメージが回転されるような視覚的フィードバックを提供することができる。即ち、項目のイメージの左部分が背面側に向かって回転し、右部分が前面側に向かって回転する。また、このような回転は、遠近法で表わしてもよい。ここで、このような視覚効果は、多様な形態に変更され得る。
【００６９】
特に、回転が、例えば、約６０°のような所定の境界角度を通過した時、携帯端末機は、選択された「返信」機能を遂行し、項目のイメージの回転量は、ドラッグ又はスイープ動作の距離及び速度により決定される。回転が所定の境界角度に達する前にタッチが解除されると、タッチされた項目のイメージは、元のイメージに復帰する。
【００７０】
また、タッチ解除イベントが発生すると、携帯端末機は、遂行可能な機能を維持する。この場合、ユーザが、遂行可能な機能の部分をタッチすると、携帯端末機は選択された機能を遂行する。他の形態として、携帯端末機は、遂行可能な機能に関する情報をボタン形式などで提供することができる。
【００７１】
一方、ユーザが、タッチした「Ａｄａｍ」項目を右側方向にスイープ又はドラッグすると、携帯端末機は、＜３０７＞画面に示すように、タッチされた項目を右に移動し、次に、携帯端末機は、この「Ａｄａｍ」項目上の右方向のタッチイベントに割り当てられた特定の遂行可能な機能（例えば、図示した「伝達」）に関する情報を、移動した項目の左にテキストやイメージの形態で出力する。そして、このタッチイベントが所定の境界地点を通過した時、携帯端末機は選択された機能を遂行する。
【００７２】
また、タッチされた「Ａｄａｍ」項目が移動される場合、携帯端末機は、＜３０７＞画面に示すように、タッチされた項目のイメージが部分的且つ徐々に除去されるような視覚的フィードバックを提供することができる。即ち、項目のイメージが右部分から消え始める。従って、項目のイメージの右端が前面で左側方向に移動され、遂行可能な機能に関する情報が徐々に表われる。ここで、このような視覚効果は、多様な形態に変更され、そして、これらの説明は、例示的なものであって、本発明を限定するものではない。
【００７３】
一方、上述したように、選択された項目に割り当てられた特定機能は、通話ログリスト、電話帳リスト、又はメッセージリストにおいて、ドラッグ又はスイープイベントが所定の境界地点を通過した時に遂行される。具体的に、携帯端末機は、ドラッグ又はスイープイベントが境界地点を通過すると直ちに、又は境界地点を通過した後にタッチ解除イベントが発生すると、特定機能を遂行することができる。このような境界地点は、項目のイメージ又はタッチイベントの位置の変化効果に応じて変更され得る。
【００７４】
境界地点は、タッチされた項目の任意の位置又はタッチされた項目の左及び右の境界に設定される。タッチされた項目が回転される場合、境界地点は回転軸に設定される。また、境界地点は、タッチダウンイベントの位置から更に移動されるか、又はタッチダウにベントの位置に関係なく決定されてもよい。
【００７５】
一方、いくつかの場合、携帯端末機は、ドラッグ又はスイープイベントをその位置に示して提供するフィードバックイメージを変更することができる。例えば、ドラッグ又はスイープイベントがスクロールを発生しない方向から外れるか、又は境界地点に到達する前の移動途中で画面から離れると、携帯端末機は、フィードバックイメージを解除して代わりに元のイメージを表示する。更に、境界地点を通過したとしても、スクロールが発生しない方向から外れたドラッグ又はスイープイベントは、特定機能の遂行を引き起こさない。
【００７６】
要約すると、携帯端末機は、境界地点を通過する前にドラッグ又はスイープイベントが解除された場合、境界地点を通過した後にドラッグ又はスイープイベントが解除された場合、境界地点を通過する前にドラッグ又はスイープイベントがスクロールを発生しない方向から外れた場合、及び境界地点を通過した後にドラッグ又はスイープイベントがスクロールを発生しない方向から外れた場合、のうちの少なくとも１つの場合に、イメージ変化効果などのフィードバックイメージを解除することができる。
【００７７】
更に、通信関連リストが配置された特定の１つの項目が選択されると、携帯端末機は、
選択された項目が遂行可能な機能にマッピングされたか否かに拘らず、視覚的又は他の方法による形態でユーザに知らせることができる。例えば、ユーザが、特定項目に割り当てられた少なくとも１つの遂行可能な機能を有するこの特定項目を選択するタッチイベントを発生させると、携帯端末は、選択された項目が、既設定された機能の遂行を可能とすることを示す、ハイライトや右側及び左側の指示表示のような所定のグラフィック効果を提供する。
【００７８】
しかし、選択された項目（例えば、電話番号）が、なんらかの機能を遂行できない場合、携帯端末機は、選択された項目の境界に点線で示すか、或いは遂行できない機能であることを示すイメージのような適切なグラフィック効果を提供することができる。他の場合で、選択された項目が、電話呼び出し機能やメッセージ作成機能のような通信関連の機能ではない場合、携帯端末機は、その項目に対してのみの「削除」機能を提供することができる。更に、携帯端末機は、選択された電話番号が有効か既設定されたものであるかを確実にすることができる。即ち、選択された電話番号が、「１００４」や「７９７９」のように完成していない電話番号であるか、或いは「０７０−ｘｘｘ−ｘｘｘｘ」のような既設定の局番が不完全な場合、携帯端末機は、所定の特定機能の電話番号を自動的に設定するようにしてもよい。
【００７９】
図５は、本発明の一実施形態による携帯端末機におけるタッチベースの運用方法を示すフロー図である。
【００８０】
図５を参照すると、本実施形態の携帯端末機は、電源が供給されると、携帯端末機の各構成を初期化し、初期化された状態が完了すると、ステップＳ１０１で、既設定された待機画面を表示部に出力する。また、携帯端末機は、ユーザのタッチを検知するタッチパネルを活性化する。
【００８１】
次に、携帯端末機は、ステップＳ１０３で、通信関連リストを表示するための入力信号を受信したか否かを確認する。このとき、他の入力信号が受信されると、携帯端末機は、ステップＳ１０５に分岐して受信した入力信号に対応する他の機能、例えば、ファイル再生や放送受信などを遂行する。
【００８２】
一方、通信関連リストを表示するための入力信号が受信されると、携帯端末機は、ステップＳ１０７に分岐して相応するリスト、例えば、通話ログリスト、電話帳リスト、メッセージリスト、電子メールリスト、メッセンジャーリストなどを出力する。次に、携帯端末機は、ステップＳ１０９で、通信関連リストが配置された選択された１つの項目上に、タッチダウンイベントが発生するか否かを確認し、タッチダウンイベントが発生しない場合は、前のステップＳ１０７を継続する。一方、タッチダウンイベントが発生すると、携帯端末機は、次のステップＳ１１１に進んでタッチされた項目を選択し、選択された項目のための視覚的フィードバック提供する。
【００８３】
次に、携帯端末機は、ステップＳ１１３で、タッチが維持されたまま、スクロールが発生する方向にドラッグ又はスイープイベントのようなタッチイベントが続いて発生するか否かを確認する。
【００８４】
スクロールが発生する方向にこのようなドラッグ又はスイープイベントが発生すると、携帯端末機は、ステップＳ１１５に分岐し、ドラッグ又はスイープイベントに応答して通信関連リストをスクロールする。
【００８５】
一方、携帯端末機は、スクロールが発生しない方向にこのようなドラッグ又はスイープイベントが発生すると、ステップＳ１１７に分岐し、ドラッグ又はスイープイベントの方向及び通信関連リストの種類に応じて選択された項目に既設定された特定機能を遂行する。上述した通り、項目に関連して既設定された機能は、電話呼び出し、メッセージ作成、電子メール作成、メッセンジャーのための短文作成、項目削除、及びユーザが指定する情報の伝達などの様々な機能であってもよい。
【００８６】
上述した本発明の方法は、ハードウェア、コンピュータコード、ソフトウェアなどで実現することができ、コンピュータコードやソフトウェアはＣＤ−ＲＯＭ、ＲＡＭ、サムネイルドライブ、フロッピー（登録商標）ディスク、フラッシュストレージ、ハードディスク、磁気光ディスク、及びダウンロードされるネットワーク上に格納され、上述した媒体のうちの一つに永久的又は半永久的に格納され、コンピュータに使われるソフトウェアを利用したり、ＡＳＩＣやＦＰＧＡなどのハードウェアに割り当てられたり、プログラミングされたり、特定プロセッサによって実行されたりする。ここで、コンピュータは、プロセッサやプログラムに、ハードウェアとしてＲＡＭ、ＲＯＭ、フラッシュなどのメモリ構成を含んでもよく、アクセス過程でコンピュータコードやソフトウェアの受信及び格納が可能であり、上述した方法の処理を実現するハードウェア、プロセッサ、及びコンピュータによって実行される。また、常用コンピュータが上述した方法を実現するためのコードにアクセスする時、実行コードを常用コンピュータに実行処理させるために特定目的コンピュータに接続してもよい。
【００８７】
以上、本発明を幾つかの好ましい実施形態を参照して説明したが、これらの実施形態は、例示的なものであり、限定的なものではない。このように、本発明が属する技術分野で通常の知識を有する者であれば、本発明の思想と特許請求の範囲に提示された権利範囲から外れずに、均等論により多様な変化及び修正を加えることができることが理解される。例えば、本明細書上に記載されたユーザタッチは、接触可能な他のタイプ、例えば、スタイラス、マウスのようなポインティン装置の使用などによるものでも応用可能である。また、本発明は、パーソナルコンピュータや、ノートブック型コンピュータ、タブレットコンピュータ、ラップトップコンピュータ、ＰＤＡなどの端末機にも適用可能である。
【符号の説明】
【００８８】
１１    インジケータ領域
１３    題名領域
１５    リスト領域
１７    制御キー領域
２１    識別ボックス
１１０    無線周波数部
１２０    入力部
１３０    オーディオ処理部
１４０    タッチスクリーン
１４１    表示部
１４３    タッチパネル
１５０    格納部
１６０    制御部
【図１】
0005676578.tif 000002
【図２】
0005676578.tif 000003
【図３】
0005676578.tif 000004
【図４】
0005676578.tif 000005
【図５】
0005676578.tif 000006